(57)【要約】【課題】  文書内に動画が含まれるデータの、文書の内容と同期した内容を含む動画の静止画像を抽出し表示、または印刷する。【解決手段】  動画像が付属しているマルチメディア文書のテキスト内容と、マルチメディアデータのフレーム（静止画像）に付加された属性情報とから、動画像とテキストデータ内容の一致または、概念検索を実行し、動画から、文書内容と同期した静止画像を抽出する。抽出された静止画像と印刷を所望するテキスト内容との適合率が高い順にリスト化し、静止画像を画像表示領域に埋め込む。【選択図】        図３
2006050226.tif 000002
【特許請求の範囲】
【請求項１】
文書内に動画を含まれるデータの、文書の内容と同期した内容を含むシーンを抽出し印刷、または表示することを特徴とする動画像出力装置。
【請求項２】
文書の内容と動画に含まれる内容を検索する手段と、
前記検索の結果に応じて、文書の内容と動画に含まれる内容の一致度に基づくリストを作成する手段と、
前記動画像中の複数の静止画フレームを、前記リストの一致度の高い順に並び替えるフレームソートまたは、動画差分値の大きい順に並び替えるフレームソート手段と、
前記フレームソート手段によって並び替えられた静止画フレームから、前記リストの一致度の高い順、または、動画差分値の大きい順に所定数抽出する抽出手段と、
前記抽出手段にて抽出された静止画フレームを出力する出力手段と、を有することを特徴とする動画像出力装置。
【請求項３】
前記抽出手段は、前記静止画フレームのフレームを指定することを特徴とする請求項２記載の動画像出力装置。
【発明の詳細な説明】
【技術分野】
【０００１】
本発明は、文書の内容と同期した内容を含む動画の静止画を検索・抽出し表示、または印刷する動画像出力装置に関する。
【背景技術】
【０００２】
動画などを含むマルチメディア文書を利用する場合に、それらのマルチメディア文書の印刷も、考慮していかなければいけない。
【０００３】
しかしながら、マルチメディアデータを含んだ文書は、印刷ボタンを押した瞬間の、動画データを静止画としてキャプチャし印刷していた（特許文献１参照）。
【特許文献１】特開平０９−０５１４５７号公報
【発明の開示】
【発明が解決しようとする課題】
【０００４】
しかしながら、上記の従来技術では、文書と意味の合う動画を同期させて印刷する事が、自動では出来なかった。
【０００５】
今後、マルチメディア文書が取り入れられていけば、動画の印刷も要求されてゆく。そこで、文書内にマルチメディアデータがあった場合、文章内容と、マルチメディアデータの一致検索または、概念検索し、同期付ける事により、よりユーザの求める情報を印刷可能にする事が出来る。
【０００６】
そこで、本発明においては、文書内に動画が含まれるデータの、文書の内容と同期した内容を含む動画の静止画像を抽出し表示、または印刷することのできる動画像出力装置を提供することを目的としている。
【課題を解決するための手段】
【０００７】
上記課題を解決するため、本発明の動画像出力装置は、
文書内に動画を含まれるデータの、文書の内容と同期した内容を含むシーンを抽出し印刷、または表示することを特徴とする。
【０００８】
また、文書の内容と動画に含まれる内容を検索する手段と、
前記検索の結果に応じて、文書の内容と動画に含まれる内容の一致度に基づくリストを作成する手段と、
前記動画像中の複数の静止画フレームを、前記リストの一致度の高い順に並び替えるフレームソートまたは、動画差分値の大きい順に並び替えるフレームソート手段と、
前記フレームソート手段によって並び替えられた静止画フレームから、前記リストの一致度の高い順、または、動画差分値の大きい順に所定数抽出する抽出手段と、
前記抽出手段にて抽出された静止画フレームを出力する出力手段と、を有することを特徴とする。
【発明の効果】
【０００９】
以上、本発明の構成により、文書内にマルチメディアデータがあった場合、文章内容と、マルチメディアデータの一致検索または、概念検索し、同期付ける事により、よりユーザの求める情報を印刷可能とすることが可能となる。
【発明を実施するための最良の形態】
【００１０】
図４のような、入力部１９、設定部２０、判別部２１、文書内容の検索・抽出部２２、動画像の検索・抽出部２３、リスト生成部２４、選択部２５、描画部２６、出力部２７からなる装置があり、動画像の入ったマルチメディア文書を入力し、印刷する作業を例にあげる。
【００１１】
図１は本発明において実行される処理を示す概念図である。
【００１２】
１として示したマルチメディアデータは、テキストデータ３と動画像４とから構成されている。例えば、このマルチメディアデータ１をディスプレイなどに表示すると、表示されるテキストデータの任意の領域に動画像を表示するものである。このマルチメディアデータ１を印刷するにあたって、既存のアプリケーションシステムを用いると、印刷される動画のシーン（フレーム）は、印刷指示がなされた時点のものが自動的にかつ強制的に選択されてしまう。
【００１３】
しかし、本発明では、図３のフローチャートにあるように、印刷ボタンを押すと、９のスタートから文書が入力され、本例では設定は一画像のみの自動印刷になっているとし、１０の判別ステップでマルチメディアデータが含まれる文書か判定される。
【００１４】
判定の結果、マルチメディアデータが含まれ無ければ通常の印刷がなされ、含まれていればマルチメディアデータが動画像であるかステップ１１で判別される。動画像でなければ通常の印刷がなされ、動画像であれば文書内容と、マルチメディアデータのフレーム（静止画像）に付加された属性情報が検索抽出される。また、ユーザが印刷を所望した領域（例えば、ページ）に記載されているテキストの内容を判定する。
【００１５】
続いて、動画像とテキストデータの内容の一致度の判定を行い（ステップ１２及びステップ１３）、動画から、文書内容と同期した静止画像を抽出し適合率が高い順にリストにし（ステップ１４）、ステップ１５で適合率の高いリストから適合率の高い静止画像をフレーム数分描画部で描画し（ステップ１６及びステップ１７）、表示または印刷する（ステップ１８）。
【００１６】
上記例で、設定部が一画像のみの自動印刷になっていたが、複数の画像をコマ割して、例えば図２のように出力画像数を選ぶことも可能である。
【００１７】
ここで、抽出した静止画のフレームのうち、印刷を実行するフレーム数は、ユーザが予め指定しておくことで、指定数に応じたフレームが選択される。
【００１８】
また上記例で、動画像が描画されているサイズから、適度なサイズに自動でコマ割する事も既存のシステムで可能である。
【００１９】
また上記例で、描画する静止画像を自動選択ではなく、リストの中から、ユーザが選択することも可能である。
【００２０】
また上記例で、マルチメディアデータが、パワーポイントのような静止画像の集まりだったとしても、フレームの検索は既存のシステムにより可能である。
【００２１】
また上記例で、１４のリストが無いもしくは、リスト以外から静止画を選びたい場合でも、ユーザは、任意にフレームを選択することが可能である。
【００２２】
また上記例で、検索時にユーザの指定により特定の言葉、画像、属性を設定し検索する事も既存のシステムにより可能である。
【図面の簡単な説明】
【００２３】
【図１】マルチメディア（動画を含む）文書でコマ割りが一つの例を示す図
【図２】マルチメディア（動画を含む）文書でコマ割りが二つの例を示す図
【図３】本発明の処理フローチャートの一例
【図４】本発明の動画内容同期印刷装置の構造図
【符号の説明】
【００２４】
２３  動画像の検索・抽出部
２２  文書内容の検索・抽出部
２４  リスト生成部
【図３】
2006050226.tif 000003
【図４】
2006050226.tif 000004
【図１】
2006050226.tif 000005
【図２】
2006050226.tif 000006